(57)【要約】【課題】クライアントシステムとファンシステムを同時に保護でき、クライアントシステムの要求に応じて同期した、または順次した方式で起動されるファンシステム及びその起動方法を提供する。【解決手段】本発明は、少なくとも１つの駆動信号と起動信号とを受ける接続装置と、前記接続装置と電気的に接続され、前記起動信号に基づいて第１イネーブル信号を発生することで、前記第１イネーブル信号と前記駆動信号とを同期して出力する制御装置と、前記制御装置と電気的に接続され、前記第１イネーブル信号を受けて、前記駆動信号が同期して伝送されるのを制御するファン装置とを含むファンシステムに関わる。【選択図】図３
2008140367.tif 000002
【特許請求の範囲】
【請求項１】
少なくとも１つの駆動信号と起動信号とを受ける接続装置と、
前記接続装置と電気的に接続され、前記起動信号に基づいて第１イネーブル信号を発生することで、前記第１イネーブル信号と前記駆動信号を同期して出力する制御装置と、
前記制御装置と電気的に接続され、前記第１イネーブル信号を受けて、前記駆動信号が同期して伝送されるのを制御するファン装置とを含むファンシステム。
【請求項２】
少なくとも１つの駆動信号と起動信号とを受ける接続装置と、
前記接続装置と電気的に接続され、前記起動信号に基づいて複数の第１イネーブル信号を発生し、且つ、前記第１イネーブル信号と前記駆動信号とを順次に出力する制御装置と、
前記制御装置と電気的に接続され、前記第１イネーブル信号に基づいて、前記駆動信号が順次に伝送されるのを制御するファン装置とを含むファンシステム。
【請求項３】
前記起動信号は、低電位信号、または接地信号からなる請求項１または２に記載のファンシステム。
【請求項４】
少なくとも１つのファンと、前記制御装置と前記ファンにそれぞれ電気的に接続され、前記第１イネーブル信号に基づいて前記駆動信号を伝送する、複数のホットスワップコントローラとを含む前記ファン装置を備える請求項１または２に記載のファンシステム。
【請求項５】
前記制御装置は、起動制御ユニットを含み、
前記起動制御ユニットは、前記接続装置と電気的に接続され、前記起動信号を受ける第１スイッチ素子と、
前記第１スイッチ素子と電気的に接続された第２スイッチ素子と、
パルス幅変調信号を発生し、前記ファンの回転速度を制御し、前記第２スイッチ素子と電気的に接続され、前記第１スイッチ素子と前記第２スイッチ素子によって前記起動信号を受け、前記起動信号に基づいて前記第１イネーブル信号を発生するコントローラとを含む請求項１または２に記載のファンシステム。
【請求項６】
前記第２スイッチ素子と前記コントローラにそれぞれ電気的に接続され、前記起動信号を受け、前記起動信号に基づいて前記起動信号を前記コントローラに伝送するホットスワップコントローラを更に有する前記起動制御ユニットを備える請求項５に記載のファンシステム。
【請求項７】
前記接続装置と前記第１スイッチ素子にそれぞれ電気的に接続され、前記起動信号を受けて遅延時間を経た後、前記起動信号を伝送する遅延回路を更に含む前記起動制御ユニットを備える請求項５に記載のファンシステム。
【請求項８】
前記遅延回路は、互いに電気的に接続されたレジスタとコンデンサとを有する請求項７に記載のファンシステム。
【請求項９】
前記制御装置は、分離保護ユニットを更に有し、
前記分離保護ユニットは、前記接続装置と前記ファン装置にそれぞれ電気的に接続された複数の第１保護回路と、
前記第１保護回路と前記コントローラにそれぞれ電気的に接続され、前記駆動信号と前記第１イネーブル信号とを分離する少なくとも１つの第１分離回路とを含む請求項５に記載のファンシステム。
【請求項１０】
前記コントローラは、マイクロプロセッサ、デジタル信号プロセッサ、または制御チップからなる請求項５に記載のファンシステム。
【請求項１１】
前記ファン装置は、少なくとも１つのファンと複数の第２分離回路とを更に含み、前記第２分離回路は、前記コントローラと前記ファンにそれぞれ電気的に接続され、前記第２分離回路は、前記パルス幅変調信号を前記ファンに伝送する請求項５に記載のファンシステム。
【請求項１２】
前記接続装置は、複数のピンを含み、前記ピンは、複数の第１ピンと第２ピンとを更に含み、前記第１ピンの長さは前記第２ピンの長さより長く、前記第１ピンは、少なくとも１つの前記駆動信号を受け、前記第２ピンは、前記起動信号を受ける請求項１または２に記載のファンシステム。
【請求項１３】
前記駆動信号と前記起動信号との間は、順次して前記制御装置に入力される間隔時間を有する請求項１２に記載のファンシステム。
【請求項１４】
複数のファンを有するファンシステムの起動方法であって、前記起動方法は、
少なくとも１つの駆動信号と起動信号とを受けるステップと、
前記起動信号に基づいて第１イネーブル信号を発生するステップと、
前記第１イネーブル信号に基づいて前記駆動信号を前記ファンに同期して伝送し、同期して駆動するステップとを含む起動方法。
【請求項１５】
複数のファンを有するファンシステムの起動方法であって、前記起動方法は、
少なくとも１つの駆動信号と起動信号とを受けるステップと、
前記起動信号に基づいて複数の第１イネーブル信号を順次に発生するステップと、
前記第１イネーブル信号に基づいて前記駆動信号を前記ファンに順次に伝送し、順次に駆動するステップとを含む起動方法。
【発明の詳細な説明】
【技術分野】
【０００１】
本発明は、ファンシステム及びその起動方法に関し、特に、同期した、または順次した方式で起動することができるファンシステム及びその起動方法に関するものである。
【背景技術】
【０００２】
科学技術の高度な発展に伴って、電子設備の機能に対する要求も高くなり、用いる電子素子の数量と集積度も高くなっている。それに対応して熱放散の需要も大きくなるため、熱放散の機能の良し悪しが直接、電子設備の信頼度と使用寿命に影響してくる。
【０００３】
ファンを用いた熱放散装置は、一般的な構造の設置であり、クライアントシステムに用いられる時、通常は、クライアントの異なる要求に応じてファンの数を増加、または減少する。また、制御装置、または制御チップによってファンシステムのファンを駆動して回転速度を制御し、ファンがクライアントシステムの実際の運転状況に合わせてファンの回転速度を調整できるようにする。
【０００４】
図１を参照すると、従来のファンシステム１は、クライアントシステムＳＢ１と互いに電気的に接続される。ファンシステム１は、ホットスワップコントローラ１１、制御装置１２及びファン装置１３を含む。通常、クライアントシステムＳＢ１は、メイン電源ＭＰ１とサブ電源ＳＰ１とを提供し、コネクタＣ１を有する。コネクタＣ１は、メイン電源ＭＰ１より発生された第１駆動信号Ｓ０１とサブ電源ＳＰ１より発生された第２駆動信号Ｓ０２とをファンシステム１に伝送する。
【０００５】
ホットスワップコントローラ１１は、互いに電気的に接続された複数のホットスワップユニット１１１、１１２と複数のピン１１３とを有する。ホットスワップユニット１１１、１１２は、クライアントシステムＳＢ１、制御装置１２及びファン装置１３にそれぞれ電気的に接続され、第１駆動信号Ｓ０１と第２駆動信号Ｓ０２とをそれぞれ受ける。
【０００６】
制御装置１２は、デジタル信号プロセッサまたはマイクロプロセッサからなり、ホットスワップユニット１１２は、第２駆動信号Ｓ０２を伝送して制御装置１２を起動する。
【０００７】
ファン装置１３は、制御装置１２と電気的に接続され、複数のファン１３１と複数の分離回路１３２とを有する。ホットスワップユニット１１１は、第１駆動信号Ｓ０１を伝送し、ファン１３１をそれぞれ起動する。分離回路１３２は、制御装置１２とファン１３１の間に電気的に接続され、制御装置１２より発生されたパルス幅変調信号（ＰＷＭ）Ｐをファン１３１に伝送し、ファン１３１がパルス幅変調信号Ｐに基づいて回転速度を変える。
【０００８】
一般的に、ファンシステム１は、如何なる状態においてもクライアントシステムＳＢ１の十分な熱放散の要求に応えなければならない。よって、ファンシステム１の中の１つのファン１３１が破損した時、ホットスワップユニット１１１によってホットスワップ（ｈｏｔ−ｓｗａｐ）の方式で、新しいファンに交換され、クライアントシステムＳＢ１の熱放散の要求を維持することができる。しかし、クライアントシステムＳＢ１のメイン電源ＭＰ１とサブ電源ＳＰ１が対応して接続されるホットスワップユニット１１１、１１２に対しては、それぞれ独立した電源で起動されることから、使用者が不適切に抜いた時、ホットスワップコントローラ１１のピンが容易に曲がる以外に、コネクタＣ１との接触点が小さくなることから、接触不良の問題が容易に発生する。
【０００９】
また、ファン１３１のモーター（未図示）は、動的誘導負荷であるため、静止した状態から安定した状態までの起動は、大きな起動電流を必要とする。また、ファンシステム１が起動する瞬間は、ファンシステム１とクライアントシステムＳＢ１とのコネクタＣ１間で突入電流（ｉｎｒｕｓｈ ｃｕｒｒｅｎｔ）、スパイク電圧（ｓｐｉｋｅ ｖｏｌｔａｇｅ）、またはスパイクノイズ（ｓｐｉｋｅ ｎｏｉｓｅ）を発生し、ひいては飛火現象、即ち電気アーク（ｅｌｅｃｔｒｉｃ ａｒｃ）を発生し、クライアントシステムＳＢ１、またはファンシステム１の損害を招く。
【００１０】
また、ホットスワップコントローラ１１のピン１１３は、通常、フローティングコネクタ（ｆｌｏａｔｉｎｇ ｃｏｎｎｅｃｔｏｒ）（図２）、またはフローティングボード（ｆｌｏａｔｉｎｇ ｂｏａｒｄ）（未図示）となり、ピン１１３がコネクタＣ１に瞬時に接触するのを確保する。しかし、これらの方式では、それでもピン１１３でスパイクノイズが発生するのを効果的に完全に制御することができず、且つ、ホットスワップの時、ホットスワップユニット１１１より発生する、正または負のスパイクノイズがメイン電源ＭＰ１の接地ループを経由し、ピン１１３によってファンシステム１の小信号電子素子（未図示）へ損害を及ぼす。そのため、通常、分離回路１３２を加えて保護をする。また、ホットスワップユニット１１１を頻繁に使用した場合、ピン１１３の接触点（ｔｅｒｍｉｎａｌ）が酸化して接触不良の状態を生じ易くする他に、ホットスワップユニット１１１の寿命を低下させ、ファンシステム１の品質を下げる。
【００１１】
また、クライアントシステムＳＢ１の部品とその機能が複雑になることから、ファンシステム１の機能に対する要求も高くなる。しかし、従来技術のファンシステム１は、第１駆動信号Ｓ０１と第２駆動信号Ｓ０２とを同時に入力した後、即時にファン１３１を起動し、クライアントシステムＳＢ１の異なる要求、または異なる場合に応じてファンシステム１の起動方式を変えることはできない。
【００１２】
よって、如何にしてクライアントシステムとファンシステムとを同時に保護でき、クライアントシステムの要求に応じて同期した、または順次した方式で起動されるファンシステム及びその起動方法を提供するかが重要な課題の１つとなっている。
【発明の開示】
【発明が解決しようとする課題】
【００１３】
上述の課題に鑑みて、本発明の目的は、クライアントシステムとファンシステムとを同時に保護でき、クライアントシステムの要求に応じて同期した、または順次した方式で起動されるファンシステム及びその起動方法を提供する。
【課題を解決するための手段】
【００１４】
よって、上述の目的を達成するために、本発明に基づいたファンシステムは、接続装置、制御装置及びファン装置を含む。前記接続装置は、少なくとも１つの駆動信号と起動信号とを受ける。前記制御装置は、前記接続装置と電気的に接続され、前記制御装置は、前記起動信号に基づいて第１イネーブル信号を発生することで、前記第１イネーブル信号と前記駆動信号とを同期して出力する。前記ファン装置は、前記制御装置と電気的に接続され、前記第１イネーブル信号を受けて、前記駆動信号が同期して伝送するのを制御する。
【００１５】
上述の目的を達成するために、本発明のファンシステムの起動方法に基づくと、前記ファンシステムは、複数のファンを有し、前記起動方法は、少なくとも１つの駆動信号を受けるステップと、起動信号を受けるステップと、前記起動信号に基づいて第１イネーブル信号を発生するステップと、前記第１イネーブル信号に基づいて前記駆動信号を前記ファンに同期して伝送し、同期して駆動するステップとを含む。
【００１６】
上述の目的を達成するために、本発明に基づいたファンシステムは、接続装置、制御装置及びファン装置を含む。前記接続装置は、少なくとも１つの駆動信号と起動信号とを受ける。前記制御装置は、前記接続装置と電気的に接続され、前記制御装置は、前記起動信号に基づいて複数の第１イネーブル信号を発生し、且つ、前記第１イネーブル信号と前記駆動信号とを順次に出力する。前記ファン装置は、前記制御装置と電気的に接続され、前記第１イネーブル信号に基づいて、前記駆動信号が順次に伝送するのを制御する。
【００１７】
上述の目的を達成するために、本発明のファンシステムの起動方法に基づくと、前記ファンシステムは、複数のファンを有し、前記起動方法は、少なくとも１つの駆動信号を受けるステップと、起動信号を受けるステップと、前記起動信号に基づいて複数の第１イネーブル信号を発生するステップと、前記第１イネーブル信号に基づいて前記駆動信号を前記ファンに順次に伝送し、順次に駆動するステップとを含む。
【発明の効果】
【００１８】
本発明に基づいたファンシステム及びその起動方法によれば、制御装置の有する起動制御ユニットによって、起動信号に基づいて第１イネーブル信号を順次に、または同期して出力し、ファン装置に第１イネーブル信号に基づいて駆動信号を順次に、または同期して出力し、ファンを順次にまたは同期して起動する。よって、起動制御ユニットによってファン装置全体の機能をオンまたはオフにすることができるだけでなく、更に、起動制御ユニットによってファンを順次に、または同期して起動することを制御することができる。
【発明を実施するための最良の形態】
【００１９】
本発明についての目的、特徴及び長所が一層明確に理解されるよう、以下に実施形態を例示し、図面を参照にしながら、詳細に説明する。
【実施例】
【００２０】
図３を参照すると、本発明の実施例１のファンシステムは、接続装置３、制御装置４及びファン装置５を含む。本実施例のファンシステムは、実施的には、クライアントシステムＳＢ２のコネクタＣ２と電気的に接続され、クライアントシステムＳＢ２は、少なくとも１つの駆動信号Ｓ１１，Ｓ１１’と、起動信号Ｓ１２とを提供し、コネクタＣ２によってファンシステムに伝送される。駆動信号Ｓ１１は、実施的には、クライアントシステムＳＢ２のメイン電源ＭＰ２より発生され、駆動信号Ｓ１１’は、サブ電源ＳＰ２より発生される。ここでは、クライアントシステムＳＢ２が提供した複数の駆動信号Ｓ１１，Ｓ１１’を例とする。また、本実施例の駆動信号Ｓ１１，Ｓ１１’と起動信号Ｓ１２は、全て異なる電圧レベルからなり、起動信号Ｓ１２は、実施的には、低電位信号、または接地信号からなり、ここでは接地信号を例とする。
【００２１】
本実施例の接続装置３は、クライアントシステムＳＢ２のコネクタＣ２に電気的に接続された複数のピン３１を有し、駆動信号Ｓ１１，Ｓ１１’と、起動信号Ｓ１２とを同時に受け、それらを制御装置４に伝送する。
【００２２】
制御装置４は、接続装置３のピン３１と電気的に接続され、互いに電気的に接続された起動制御ユニット４１と分離保護ユニット４２とを有する。
【００２３】
起動制御ユニット４１は、第１スイッチ素子４１１、第２スイッチ素子４１２及びコントローラ４１３を有する。第１スイッチ素子４１１は、接続装置３と電気的に接続され、第２スイッチ素子４１２は、第１スイッチ素子４１１とコントローラ４１３に電気的に接続され、コントローラ４１３は、ファン装置と電気的に接続されてパルス幅変調信号（ＰＷＭ）Ｐを発生する。また、本実施例の起動制御ユニット４１は、第２スイッチ素子４１２とコントローラ４１３との間に電気的に接続されたホットスワップコントローラ４１４を更に有する。ホットスワップコントローラ４１４は、第１スイッチ素子４１１と第２スイッチ素子４１２によって同時に導通され、駆動信号Ｓ１１’と起動信号Ｓ１２とを受け、起動信号Ｓ１２に基づいて駆動信号Ｓ１１’をコントローラ４１３に伝送してコントローラ４１３を起動する。コントローラ４１３は、駆動信号Ｓ１１’と起動信号Ｓ１２に基づいて、第１イネーブル信号Ｓ１３を発生し、起動制御ユニット４１を制御して第１イネーブル信号Ｓ１３と駆動信号Ｓ１１とを同期して出力する。本実施例のコントローラ４１３は、実施的には、マイクロプロセッサ、デジタル信号プロセッサ、または制御チップからなる。ホットスワップコントローラ４１４は、ホットスワップの方式によって新しいコントローラ（未図示）に交換されることができる。
【００２４】
本実施例では、分離保護ユニット４２は、複数の第１保護回路４２１と第１分離回路４２２とを有する。第１保護回路４２１は、接続装置３のピン３１とファン装置５にそれぞれ電気的に接続され、接続装置３より駆動信号Ｓ１１を受ける。第１保護回路４２１は、駆動信号Ｓ１１がファン装置５に安定して伝送され、逆電流が発生するのを防ぐことができるように設置する。第１分離回路４２２は、コントローラ４１３と第１保護回路４２１との間及びコントローラ４１３とファン装置５との間に電気的に接続される。第１分離回路４２２は、駆動信号Ｓ１１と第１イネーブル信号Ｓ１３との接地端子を分離し、正または負のスパイクノイズがメイン電源ＭＰ２の接地端子を経由して、続くファン装置５へ損害を及ぼすのを防ぐ。また、第１分離回路４２２は更に、第１イネーブル信号Ｓ１３をファン装置５に伝送する。
【００２５】
本実施例では、ファン装置５は、複数のファン５１と複数のホットスワップコントローラ５２を有する。ホットスワップコントローラ５２は、制御装置４の分離保護ユニット４２とファン５１にそれぞれ電気的に接続され、第１イネーブル信号Ｓ１３を受けてそれに基づいて、駆動信号Ｓ１１を同期して伝送し、ファン５１を起動する。また、ホットスワップコントローラ５２は、ホットスワップの方式によって新しいファン（未図示）に交換されることができる。
【００２６】
ファン５１が起動された後、コントローラ４１３は、パルス幅変調信号Ｐに基づいてファン５１の回転速度を制御することができる。また、本実施例のファン装置５は、実施的にその数量がファン５１と互いに対応する複数の第２分離回路５３とを更に有し、コントローラ４１３とファン５１との間に電気的に接続される。第２分離回路５３は、駆動信号Ｓ１１とコントローラ４１３との接地端子を分離し、コントローラ４１３からのパルス幅変調信号Ｐをファン５１に安定して伝送することができる。
【００２７】
図３を参照して、本実施例のファンシステムの同期起動の作動方法を以下に示す。ファンシステムとクライアントシステムＳＢ２が互いに接続された後、接続装置３のピン３１は、コネクタＣ２によって駆動信号Ｓ１１，Ｓ１１’と、起動信号Ｓ１２とを同時に受ける。この時、制御装置４の起動制御ユニット４１は、起動信号Ｓ１２と駆動信号Ｓ１１’に基づいて、コントローラ４１３を起動し、コントローラ４１３が第１イネーブル信号Ｓ１３とを発生し、制御装置４を制御して第１イネーブル信号Ｓ１３と駆動信号Ｓ１１とを同期して出力する。分離保護ユニット４２は、駆動信号Ｓ１１と第１イネーブル信号Ｓ１３とを分離し、駆動信号Ｓ１１と第１イネーブル信号Ｓ１３がファン装置５に安定して伝送されるように設置する。ファン装置５のホットスワップコントローラ５２は、第１イネーブル信号Ｓ１３に基づいて駆動信号Ｓ１１をファン５１に同期して伝送し、ファン５１を同期して起動する。また、コントローラ４１３は、パルス幅変調信号Ｐでファン５１の回転速度を制御する。
【００２８】
駆動信号Ｓ１１，Ｓ１１’と起動信号Ｓ１２が制御装置４に伝送された後、ファン５１を直ちに起動せずに、起動制御ユニット４１が起動信号Ｓ１２に基づいて第１イネーブル信号Ｓ１３を発生した後に、駆動信号Ｓ１１，Ｓ１１’を同期して伝送し、ファン５１を同期して起動し始めることから、この方式は、起動制御ユニット４１によってファン装置５の機能をオンまたはオフにすることができる以外に、制御装置４がファン装置５を同期して起動する効果も有することができる。また、ピン３１が駆動信号Ｓ１１，Ｓ１１’を受ける時に、電気アーク（ｅｌｅｃｔｒｉｃ ａｒｃ）と正または負のスパイクノイズ（ｓｐｉｋｅ ｎｏｉｓｅ）が発生しないようにすることもできる。また、分離保護ユニット４２は、制御装置４が駆動信号Ｓ１１をファン装置５に伝送する時に、ファン装置５の端子でメイン電源ＭＰ２より発生されるスパイク電圧（ｓｐｉｋｅ ｖｏｌｔａｇｅ）、または突入電流（ｉｎｒｕｓｈ ｃｕｒｒｅｎｔ）を効果的に制御することができる以外に、分離保護ユニット４２は、ホットスワップコントローラ５２に更に合わせられ、ファン装置５を起動する瞬間に発生されるスパイクノイズ（ｓｐｉｋｅ ｎｏｉｓｅ）を制御することができる。
【００２９】
図４に示す実施例を参照すると、接続装置３のピン３１は、複数の第１ピン３１ａと第２ピン３１ｂより構成され、クライアントシステムＳＢ２のコネクタＣ２と電気的に接続される。例えば、第１ピン３１ａと第２ピン３１ｂは、コネクタＣ２の中に挿し込まれ、コネクタＣ２の複数のピン（未図示）と互いに電気的に接続され、駆動信号Ｓ１１，Ｓ１１’と起動信号Ｓ１２とを受ける。また、第１ピン３１ａの長さは互いに等しく、第２ピン３１ｂの長さより長い。よって、ファンシステムとクライアントシステムＳＢ２が互いに電気的に接続された時、接続装置３の第１ピン３１ａは、先ず、コネクタＣ２と接触する。この時、制御装置４は、第１ピン３１ａによって、駆動信号Ｓ１１，Ｓ１１’を同時に受ける。続いて、第２ピン３１ｂは、再度、コネクタＣ２と接触して起動信号Ｓ１２を受ける。即ち、駆動信号Ｓ１１，Ｓ１１’は、起動信号Ｓ１２との間に、間隔時間を有し、順次してファンシステムに入力される。本実施例は、第２ピン３１ｂによって起動制御ユニット４１に合わせられ、上述の実施例のファン装置５をオンまたはオフにする機能を強化する。また、更に、第１ピン３１ａが駆動信号Ｓ１１，Ｓ１１’を受ける時、電気アーク（ｅｌｅｃｔｒｉｃ ａｒｃ）と正または負のスパイクノイズ（ｓｐｉｋｅ ｎｏｉｓｅ）が発生しないようにすることができる。
【００３０】
全体のファン装置５をオンまたはオフにする機能を強化するもう１つの機能として、図５を参照すると、本実施例の起動制御ユニット４１は、接続装置３のピン３１と第１スイッチ素子４１１に電気的に接続された遅延回路４１５を更に有する。また、遅延回路４１５は、実施的に、ＲＣ遅延回路からなることができる。例えば、互いに電気的に接続されたレジスタとコンデンサ（未図示）として実施されることができ、レジスタとコンデンサは、互いに組み合わせられ、遅延時間を発生する。本実施例では、遅延回路４１５が起動信号Ｓ１２を受け、且つ、遅延時間を経てから、起動信号Ｓ１２と駆動信号Ｓ１１，Ｓ１１’とを伝送し、第１スイッチ素子４１１と第２スイッチ素子４１２によって、コントローラ４１３を起動する。この方式は、遅延回路４１５をコントローラ４１３と合わせることで、前述のファン装置５のオンまたはオフの機能を得ることができる。
【００３１】
以下、本発明の実施例１に基づいたファンシステムの起動方法を叙述する。以下、図６を参照する。本発明の実施例１のファンシステムの起動方法は、上述の実施例１（図３）のファンシステムに用いることができる。
【００３２】
ファンシステムの起動方法は、ステップＳ１〜Ｓ３を含む。
【００３３】
ステップＳ１は、少なくとも１つの駆動信号Ｓ１１，Ｓ１１’と起動信号Ｓ１２とを受ける。本実施例の起動信号Ｓ１２は、低電位信号または接地信号である。
【００３４】
ステップＳ２は、起動信号Ｓ１２に基づいて第１イネーブル信号Ｓ１３を発生する。第１イネーブル信号Ｓ１３は、前述の実施例の制御装置４によって、起動信号Ｓ１２に基づいて発生される。
【００３５】
ステップＳ３は、第１イネーブル信号Ｓ１３に基づいて、駆動信号Ｓ１１をファン５１に同期して伝送し、ファン５１を同期して駆動する。駆動信号Ｓ１１は、前述の実施例の制御装置４によって、第１イネーブル信号Ｓ１３に基づいて伝送される。
【００３６】
以下、図７を参照すると、本発明の実施例２に基づいたファンシステムは、接続装置７、制御装置８及びファン装置９を含む。ファンシステムは、クライアントシステムＳＢ３のコネクタＣ３と互いに電気的に接続される。本実施例のファンシステムは、クライアントシステムＳＢ３の接続方式と、クライアントシステムＳＢ３の構造、特徴及び効果は、実施例１（図３）のファンシステムとクライアントシステムＳＢ２の接続方式と、クライアントシステムＳＢ２の構造、特徴及び効果と同じであるため、ここでは記述しない。本実施例のクライアントシステムＳＢ３の提供する少なくとも１つの駆動信号Ｓ２１，Ｓ２１’と起動信号Ｓ２２とは、実施例１の駆動信号Ｓ１１，Ｓ１１’と起動信号Ｓ１２と同じ特徴及び効果を有するため、ここでは記述しない。
【００３７】
本実施例の接続装置７は、クライアントシステムＳＢ３と電気的に接続され、駆動信号Ｓ２１，Ｓ２１’と起動信号Ｓ２２とを受ける複数のピン７１を有する。
【００３８】
図７を参照すると、本実施例では、制御装置８は、接続装置７のピン７１と電気的に接続され、起動制御ユニット８１と分離保護ユニット８２とを有し、且つ、ピン７１によって駆動信号Ｓ２１，Ｓ２１’と起動信号Ｓ２２とを受ける。
【００３９】
起動制御ユニット８１は、第１スイッチ素子８１１、第２スイッチ素子８１２及びコントローラ８１３を有する。第１スイッチ素子８１１は、接続装置７と電気的に接続され、第２スイッチ素子８１２は、第１スイッチ素子８１１とコントローラ８１３との間に電気的に接続される。また、本実施例の起動制御ユニット８１は、第２スイッチ素子８１２とコントローラ８１３にそれぞれ電気的に接続されたホットスワップコントローラ８１４を更に有する。ホットスワップコントローラ８１４は、第１スイッチ素子８１１と第２スイッチ素子８１２によって導通され、駆動信号Ｓ２１’と起動信号Ｓ２２とを受けて、コントローラ８１３を起動する。コントローラ８１３は、起動された後、パルス幅変調信号Ｐを発生し、起動信号Ｓ２２に基づいて、第１イネーブル信号Ｓ２３を発生する。本実施例のホットスワップコントローラ８１４は、実施的にホットスワップの方式によって新しいコントローラ（未図示）に交換されることができる。
【００４０】
分離保護ユニット８２は、複数の第１保護回路８２１と複数の第１分離回路８２２とを有する。第１保護回路８２１は、ピン７１とファン装置９にそれぞれ電気的に接続され、駆動信号Ｓ２１，Ｓ２１’がファン装置９に安定して伝送され、逆電流が発生するのを防ぐように設置する。第１分離回路８２２は、コントローラ８１３と第１保護回路８２１との間及びコントローラ８１３とファン装置９との間に電気的に接続され、第１イネーブル信号Ｓ２３をファン装置９に順次に伝送する。
【００４１】
本実施例のファン装置９は、複数のファン９１と複数のホットスワップコントローラ９２とを有する。ホットスワップコントローラ９２は、分離保護ユニット８２とファン９１との間に電気的に接続される。ホットスワップコントローラ９２は、第１イネーブル信号Ｓ２３を順次に受けて第１イネーブル信号Ｓ２３に基づいて、駆動信号Ｓ２１，Ｓ２１’をファン９１に順次に伝送し、ファン９１を順次に起動する。また、ファン装置９は、複数の第２分離回路９３を更に有し、コントローラ８１３とファン９１との間に電気的に接続される。本実施例のファン装置９のファン９１、ホットスワップコントローラ９２と第２分離回路９３は、上述の実施例１のファン装置５のファン５１、ホットスワップコントローラ５２及び第２分離回路５３と同じ特徴、作動と効果を有するため、ここでは記述しない。
【００４２】
図７を参照して、本実施例のファンシステムの起動に順次した作動方法を下記に示す。ファンシステムとクライアントが互いに接続された後、ピン７１は、駆動信号Ｓ２１，Ｓ２１’と起動信号Ｓ２２とを同時に受ける。この時、起動制御ユニット８１は、起動信号Ｓ２２に基づいて、コントローラ８１３に第１イネーブル信号Ｓ２３を順次に発生させて出力させる。分離保護ユニット８２は、駆動信号Ｓ２１と第１イネーブル信号Ｓ２３とを分離し、ファン装置９に駆動信号Ｓ２１を安定して出力し、第１イネーブル信号Ｓ２３を順次に出力する。ファン装置９のホットスワップコントローラ９２は、第１イネーブル信号Ｓ２３に基づいて駆動信号Ｓ２１をファン９１に伝送し、ファン９１を順次に起動する。
【００４３】
その他にここで説明しなければならないのは、コントローラ８１３が実施的にマイクロプロセッサ、デジタル信号プロセッサ、または制御チップであることから、ソフト、またはハードによって設計されることができる。また、コントローラ８１３が第１イネーブル信号Ｓ２３の間で遅延時間を設定し、順次に伝送と起動の効果を得ることができる。
【００４４】
駆動信号Ｓ２１，Ｓ２１’と起動信号Ｓ２２が制御装置８に伝送された時、ファン９１を直ちに起動せずに、起動制御ユニット８１が起動信号Ｓ２２に基づいて第１イネーブル信号Ｓ２３を順次に発生した後に、ファン装置９が第１イネーブル信号Ｓ２３に基づいて、駆動信号Ｓ２１，Ｓ２１’をファン９１に伝送し、順次に起動することから、この方式は、起動制御ユニット８１によってファン装置９全体の機能をオンまたはオフにすることができる以外に、制御装置８がファン装置９を順次に起動する効果を更に有することができる。また、本実施例のファンシステムの分離保護ユニット８２、ピン７１及びホットスワップコントローラ９２は、上述の実施例１のファンシステムの分離保護ユニット８２、ピン７１及びホットスワップコントローラ９２と同じ効果を有するため、ここでは記述しない。
【００４５】
また、本実施例では、ファン装置９をオンまたはオフにする機能を強化したい場合、ピン７１を複数の第１ピンと第２ピンによって構成することができ、且つ、第１ピンの長さは、第２ピンの長さ（未図示）より長い。または、本実施例の接続装置７と第１スイッチ素子８１１との間に遅延回路（未図示）を電気的に接続する。ピン、第２ピン及び遅延回路は、図４または図５に示す方式で実施することができるため、ここでは記述しない。
【００４６】
以下、図８を参照する。本発明の実施例２のファンシステムの起動方法の叙述であり、上述の実施例２（図７）のファンシステムに用いられることができ、ここではファンシステムに用いられるものを例とする。
【００４７】
本実施例のファンシステムの起動方法は、ステップＳ４〜Ｓ６を含む。
【００４８】
ステップＳ４は、少なくとも１つの駆動信号Ｓ２１，Ｓ２１’と起動信号Ｓ２２とを受ける。
【００４９】
ステップＳ５は、起動信号Ｓ２２に基づいて、複数の第１イネーブル信号Ｓ２３を順次に発生する。本実施例の起動信号Ｓ２２は、低電位信号、または接地信号からなる。第１イネーブル信号Ｓ２３は、制御装置８によって起動信号Ｓ２２に基づいて順次に発生される。
【００５０】
ステップＳ６は、第１イネーブル信号Ｓ２３に基づいて駆動信号Ｓ２１，Ｓ２１’を順次に伝送し、順次に駆動する。駆動信号Ｓ２１は、制御装置８によって第１イネーブル信号Ｓ２３に基づいて伝送される。
【００５１】
上述のように、本発明に基づいたファンシステム及びその起動方法によれば、起動制御ユニットによって、起動信号に基づいて第１イネーブル信号を順次に、または同期して出力し、ファン装置に第１イネーブル信号に基づいて駆動信号を順次に、または同期して出力し、ファンを順次にまたは同期して起動する。したがって、起動制御ユニットによってファン装置全体の機能をオンまたはオフにすることができるだけでなく、更に、起動制御ユニットによってファンを順次に、または同期して起動することを制御することができる。これ以外に、ピンとコネクタの接触端に電気アーク（ｅｌｅｃｔｒｉｃ ａｒｃ）が発生しないようにすることもでき、且つ、正または負のスパイクノイズ（ｓｐｉｋｅ ｎｏｉｓｅ）がピンによって制御装置とファン装置に伝送するのを防ぐことができる。また、分離保護ユニットは、制御装置が駆動信号をファン装置に伝送する時に、ファン装置の端子でメイン電源ループより発生されるスパイク電圧（ｓｐｉｋｅ ｖｏｌｔａｇｅ）、または突入電流（ｉｎｒｕｓｈ ｃｕｒｒｅｎｔ）と、ファン装置を起動する瞬間に発生されるスパイクノイズ（ｓｐｉｋｅ ｎｏｉｓｅ）を効果的に制御することができる。
【００５２】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００５３】
【図１】従来のファンシステムを表す概略図である。
【図２】従来のファンシステムのホットスワップコントローラのピンを表す構造図である。
【図３】本発明の実施例１に基づいたファンシステムを表す概略図である。
【図４】本発明の実施例１に基づいたファンシステムを表しており、その接続装置が第１ピンと第２ピンより構成されたピンを有する概略図である。
【図５】本発明の実施例１に基づいたファンシステムを表しており、その制御装置が遅延回路を有する概略図である。
【図６】本発明の実施例１に基づいたファンシステムの起動方法を表す流れ図である。
【図７】本発明の実施例２に基づいたファンシステムを表す概略図である。
【図８】本発明の実施例２に基づいたファンシステムの起動方法を表す流れ図である。
【符号の説明】
【００５４】
１１  ホットスワップコントローラ
１１１、１１２  ホットスワップユニット
１１３、３１、７１  ピン
１２、４、８  制御装置
１３、５、９  ファン装置
１３１、５１、９１  ファン
１３２  分離回路
３、７  接続装置
３１ａ  第１ピン
３１ｂ  第２ピン
４１、８１  起動制御ユニット
４１１、８１１  第１スイッチ素子
４１２、８１２  第２スイッチ素子
４１３、８１３  コントローラ
４１４、８１４  ホットスワップコントローラ
４１５  遅延回路
４２、８２  分離保護ユニット
４２１、８２１  第１保護回路
４２２、８２２  第１分離回路
５２、９２  ホットスワップコントローラ
５３、９３  第２分離回路
Ｃ１、Ｃ２、Ｃ３  コネクタ
ＭＰ１、ＭＰ２、ＭＰ３  メイン電源
ＳＢ１、ＳＢ２、ＳＢ３  クライアントシステム
ＳＰ１、ＳＰ２、ＳＰ３  サブ電源
Ｓ０１  第１駆動信号
Ｓ０２  第２駆動信号
Ｓ１１、Ｓ１１’、Ｓ２１、Ｓ２１’  駆動信号
Ｓ１２、Ｓ２２  起動信号
Ｓ１３、Ｓ２３  第１イネーブル信号
Ｐ  パルス幅変調信号
Ｓ１〜Ｓ３、Ｓ４〜Ｓ６  起動方法のステップ
【図１】
2008140367.tif 000003
【図２】
2008140367.tif 000004
【図３】
2008140367.tif 000005
【図４】
2008140367.tif 000006
【図５】
2008140367.tif 000007
【図６】
2008140367.tif 000008
【図７】
2008140367.tif 000009
【図８】
2008140367.tif 000010